(57)【要約】【目的】  ２段シンクの浅底側のデッドスペースを収納スペースとして有効利用することのできる、新しいキッチンキャビネットを提供する。【構成】  ２段シンク（４）の浅底側の下方に引出し（５）を設け、この引出し（５）の前板（５４）は２段シンク（４）の幕板として兼用する。【選択図】図１
2005065966.tif 000002
【特許請求の範囲】
【請求項１】
２段シンクを備えたキッチンキャビネットであって、２段シンクの浅底側の下方に引出しが設けられており、この引出しの前板は２段シンクの幕板として兼用されていることを特徴とするキッチンキャビネット。
【請求項２】
２段シンクの深底側の前方位置にて引出しの前板裏面に、包丁ラックが設けられていることを特徴とする請求項１記載のキッチンキャビネット。
【発明の詳細な説明】
【技術分野】
【０００１】
この出願の発明は、キッチンキャビネットに関するものである。さらに詳しくは、この出願の発明は、台所に設置される２段シンクを備えたシステムキッチン等に有用な、２段シンク設備時のデッドスペースを収納スペースとして有効利用する新しいキッチンキャビネットに関するものである。
【背景技術】
【０００２】
従来、コンロやシンク等を備えたキッチンキャビネットについては、収納スペースを最大限確保するための様々な工夫が提案されており、たとえばコンロ、シンク、調理台の全ての下方位置に複数の引出しを並設させることが既に知られている（特許文献１参照）。
【特許文献１】特開２００３−１６４３４７号公報
【発明の開示】
【発明が解決しようとする課題】
【０００３】
しかしながら、近年、キッチンキャビネットのシンクとして、図５に例示したような深さが浅い部分と深い部分とに分かれた２段シンク（２段落ちシンクとも呼ぶ）（ア）が実用化されてきているが、この２段シンク（ア）にあっては浅底側（イ）の下方がデッドスペースになっている。
【０００４】
そこで、以上のとおりの事情に鑑み、この出願の発明は、２段シンクの浅底側のデッドスペースを収納スペースとして有効利用することのできる、新しいキッチンキャビネットを提供することを課題としている。
【課題を解決するための手段】
【０００５】
この出願の発明は、上記の課題を解決するものとして、第１には、２段シンクを備えたキッチンキャビネットであって、２段シンクの浅底側の下方に引出体が設けられれており、この引出体の前板は２段シンクの幕板として兼用されていることを特徴とするキッチンキャビネットを提供する。
【０００６】
第２には、前記２段シンクの深底側の前方位置にて前記引出しの前板裏面に、包丁ラックが設けられていることを特徴とするキッチンキャビネット。
【発明の効果】
【０００７】
上記第１のキッチンキャビネットによれば、２段シンクの浅底側の下方のデッドスペースを収納スペースとして有効利用することができ、収納量が一層向上したシステムキッチン等を実現できるようになる。
【０００８】
上記第２のキッチンキャビネットによれば、上記第１のキッチンキャビネットと同様な効果が得られ、また２段シンクの深底側の前方のデッドスペースをも包丁用の収納スペースとして有効利用することができ、収納量をさらに一層向上させることができる。
【発明を実施するための最良の形態】
【０００９】
図１〜図３は、各々、この出願の発明の一実施形態を示したものである。
【００１０】
これら図１〜図３の実施形態では、キッチンキャビネット（１）にコンロ（２）や調理台（３）とともに２段シンク（４）が備えられており、この２段シンク（４）の浅底側の下方位置に引出し（５）が設けられており、この引出し（５）の前板（５４）が２段シンク（４）の幕板として兼用されている。
【００１１】
さらに説明すると、引出し（５）は、２段シンク（４）の浅底側、つまりシンク底部が浅くなっている側の下方に形成されている空間（４１）内に納まる大きさ及び形状の引出体（５１）を有している。この引出体（５１）を構成する側板（５２）の外面およびシンク下の空間（４１）内の適宜位置には支持レール（５３）（４２）が取り付けられており、これら支持レール（５３）（４２）を介して空間（４１）内外への引出し（５）の出し入れが自在とされている。
【００１２】
また、引出し（５）の前板（５４）は、２段シンク（４）全体の前方をカバーする長尺状のものとなっており、２段シンク（４）の幕板と兼用されている。この前板（５４）については、たとえばコンロ（２）や調理台（３）の下方に設けられている他の引出し（６）の前板（６１）との統一感を持たせた意匠を施してもよい。
【００１３】
以上によれば、２段シンク（４）の浅底側下方のデッドスペースであった空間（４１）が引出し（５）による収納スペースとなり、また２段シンク（４）用に別途の幕板を用いる必要もないため、２段シンク（４）付きのキッチンキャビネット（１）の収納量を、外観を損ねることなく、向上させることできるようになる。
【００１４】
なお、たとえば図４に例示したように、引出し（５）の出し入れ支持については、上記支持レール（５３）に加えて、引出体（５１）とは反対側において前板（５４）裏面から後方へ、つまり２段シンク（４）に向って延びた支持レール（５５）をさらに設けるようにしてもよい。もちろん、２段シンク（４）下方の適宜位置にも、この支持レール（５５）に対応する支持レール（図示なし）を設ける。これにより、引出し（５）のより安定した出し入れ支持が実現されることになる。
【００１５】
ところで、上記引出し（５）を設けた場合、２段シンク（４）の深底側、つまりシンク底部が深くなっている側の前方と引出し（５）の前板（５４）との間に、若干の空間が残る場合のあることが考えられる。
【００１６】
そこで、この空間をも収納スペースとして有効利用すべく、図１〜図４の実施形態では、２段シンク（４）深底側の前方位置にて引出し（５）の前板（５４）裏面に、包丁ラック（５６）を設けている。深底側と前板（５４）との間の空間に上記引出体（５１）のような奥行きがあるものを納めることは難しいが、包丁程度の厚さの調理器具を収納するスペースは確保できる。
【００１７】
これによれば、２段シンク（４）の深底側前方のデッドスペースが包丁ラック（５６）によって収納スペースとなり、引出し（５）を開けた際に引出体（５１）および包丁ラック（５６）とが出現してより一層優れた収納量を実現することができる。また、包丁ラック（５６）と呼んではいるが、包丁だけでなく、菜箸などの厚みのあまりない調理器具を納めるラックとして使用しても良いことは言うまでもない。
【００１８】
以上のとおりに引出体（５１）および包丁ラック（５６）を有する引出し（５）を設けたキッチンキャビネット（１）については、引出し（５）を取り付けるスペースをより十分に確保すべく、縦フレーム材、横フレーム材等のフレーム材を格子状に組み立てて形成した骨組体よりなるフレーム構造キャビネットとすることが好ましい。
【００１９】
フレーム構造とすることで、２段シンク（４）の下方や前方位置にて余計な板材を用いる必要がなくなり、引出体（５１）や包丁ラック（５６）のためのスペースをより広く確保できるようになる。また、たとえば図１および２に例示したように、２段シンク（４）下方にて上記支持レール（４２）を取り付けるための縦フレーム（１１）を、任意位置に設けることもできるようになる。
【００２０】
もちろん、この出願の発明は以上の実施形態に限定されるものではなく、細部については様々な態様が可能である。
【産業上の利用可能性】
【００２１】
以上詳しく説明した通り、この出願の発明によって、２段シンクの浅底側下方のデッドスペースを収納スペースとして有効利用し、またさらに深底側前方のデッドスペースをも収納スペースとして有効利用して、優れた収納量を実現することのできる、新しいキッチンキャビネットが提供される。
【図面の簡単な説明】
【００２２】
【図１】この出願の発明の一実施形態を示した正面図である。
【図２】この出願の発明の一実施形態を示した斜視図である。
【図３】図１および図２の実施形態における引出しを例示した斜視図である。
【図４】引出しの別の一例を示した斜視図である。
【図５】２段シンクを例示した図であり、（ａ）は平面図、（ｂ）は断面図である。
【符号の説明】
【００２３】
１  キッチンキャビネット
１１  縦フレーム
２  コンロ
３  調理台
４  ２段シンク
４１  空間
４２  支持レール
５  引出し
５１  引出体
５２  側板
５３  支持レール
５４  前板
５５  支持レール
５６  包丁ラック
６  引出し
６１  前板
【図１】
2005065966.tif 000003
【図２】
2005065966.tif 000004
【図３】
2005065966.tif 000005
【図４】
2005065966.tif 000006
【図５】
2005065966.tif 000007